(57)【要約】【課題】指先の爪根元部ツボを刺激することは、自律神経を正常に戻し免疫力を高め、健康維持向上に有効な方法である。この爪部のツボを的確に捉え且つ大中小のどの指にもフイットできる手もみ感覚に近似した指先もみ具が嘱望されている。【解決手段】各指の爪根元部ツボの２点に適合できるように大中小間隔で突起を配置した刺激突起板を上側くちばし板に貼り、その中点付近を支点として回動できるように上側レバーに取り付ける。該上側くちばし板に相対する下側くちばしは、柔らかい材質で断面がＣ字状に成形した板で下側レバーに抱き込むように合わせ、その中央付近に空間ができるように上げ底状に取り付けて成る指先もみ具を提供することで課題を解決できる。【選択図】図１
2007125335.tif 000002
【特許請求の範囲】
【請求項１】
く字状に成形した２つのレバーをＸ字状に嵌め合わせ、この交差部を軸として該レバーの片側をくちばし側とし他方を握り側とする。該くちばし側が常時閉となるようにスプリングを設けたクリップを本体する。更にくちばし側において、上くちばし板に刺激突起板を貼り合わせ、その中点付近を一点支持で左右に回動するように上側レバーに取り付ける。また、相対する下側レバーには、柔らかい材質を用いて断面がＣ字上に成形した下くちばし板を該下側レバーの中央部を上げ底状に空間を設けて取り付けた指先もみ具。
【請求項２】
前記請求項１の指先もみ具において、握り側の上下レバー間の開度を任意の位置に調節し保持できる降伏点調節ボルトを併設した指先もみ具。
【発明の詳細な説明】
【技術分野】
【０００１】  本発明は、指先の血行を改善するために爪根元のツボを刺激し、もみほぐすことで健康を維持促進する、指先もみ具に関するものである。
【背景技術】
【０００２】  指先をもみほぐすことや、爪根元部のツボを刺激することは、血行を改善すると共に副交感神経を刺激し、自立神経を正常に戻し免疫力を高めることで健康維持に有効な方法である。このため直ぐにできる方法として、親指と人さし指を用いての素手による指先もみを始めてみる人が多いが、もみ手の指への疲労負担が大きいことや刺激を自身で加減してしまい実効体感が薄いため長続きできないのが実状である。【０００３】  また、ゴムのような材質を用いて表面に凹凸を設けたシート状の専用もみ具を指に巻き付けて、握りもみすることで、もみ力の疲労軽減を図ったことを特徴とした商品もあるが、ツボ部への刺激が分散してしまい指先もみ具としては不向きなものである。【０００４】  更に、もみ手に疲労感が少なく刺激の実効感を得られるとしてクリップ式の健康もみ具も特許文献の中にあるが、何れも本案の特徴と異なるものである。
そのひとつである登録実用新案公報第３０３３７８０号「クリップ形式のツボ刺激はさみ具」は、クリップの先端内側にひとつはプラスチックで先鋭凸突起複数の小突起を配置した板を他方には複数の小突起を配置した板を取り付けて、ツボ部の周辺を刺激するとしているが、その刺激は緩衝機能に乏しい構造で押し力が直接的であり、指先での使用は、痛みが先行し不向きである。本考案のくちばしは、指先のツボ部のみを狙った突起を配置し、中点で保持した上側くちばし板と、上げ底にした柔らかい材質の下側くちばし板で、指の挿入方向と指の大きさの対し、何れもフイットできる挟み形態である。また、押さえ力の降伏点を任意に移動できる機能を有し、適度な痛みの手もみ感覚に調節できることを特徴としたものでそれらと異なる。【０００５】また、特開２０００−１０２５９１「ツボ押し器具」や実用新案登録第３０７２４７５号「クリップ式手及び足の指ツボ刺激具」については、指先の刺激を目的としたものであるが、これらは、指先を挟む形態にしているが、クリップの形状や先端の挟む形状に若干違うものの上記同様、単に主スプリングのみの弾性力で指を挟み、緩衝力の少ない直接刺激する構造で、これらについても柔らかい手もみ感覚には程遠いものばかりである。【０００６】
【参考文献】
【文献１】
登録実用新案公報第３０３３７８０号
【文献２】
特開２０００−１０２５９１
【文献３】
実用新案登録第３０７２４７５号
【発明の開示】
【発明が解決しようとする課題】
【０００７】  本発明は前述の背景を基に、爪部のツボを的確に捉え、且つ、大小中どの指にもフイットできる緩衝構造と調節機能を有し、手もみ感覚に近似した実感を得られる指先もみ具を提供する。
【課題を解決するための手段】
【０００８】  上記課題を解決するために、クリップの構造は、以下の点を反映させる。
刺激突起板は、大小中各指先のツボに適合できる爪根元のツボ部２点のみを的確に刺激する突起を配置したもので、刺激ポイントを効果的に狙ったものとする。この各２点の突起はクリップの上下移動に対し斜め内側に押し込む方向に直立させる。また、上側くちばし板は、中点のみの一点支柱で保持し、緩衝許容範囲が全方向に展開できる構造とする。また、下側くちばし板は、空間を設けた上げ底にして指を包み込むような感触が得られるように柔らかい材質でできた受け板構造とする。更に、太さの違う各指先に対し適度な押し力で止めることができるような降伏点の調整ができるようにする。
【発明の効果】
【０００９】  以上の説明で明らかなように本発明にあっては、次に列挙する効果を得られるものである。
１、もみ手は、当考案品の握り柄側を握ることで、くちばし側を開口して、もみ指を適当な位置で挟み、もみ手の握りを開放する、若しくは、これを繰り返すことで、常に安定した力で、刺激することができる。従ってもみ手の疲労感も少なく長時間のもみ作業にも耐えることができる。
２、当考案品は、刺激突起板の中点部のみを支柱とした取り付け構造であり、全方向に緩衝性を有する構造であり、併せて降伏点調整ボルトにより適度な痛みを体感する最適位置に調整できる。
３、更に、指先のツボ間隔の大小中に適合できる突起を幾つか配置したことで、指先のつぼを効果的に刺激ができる。
４、刺激突起板は、支柱を軸として回動させることができ、縦横の何れか適当な方向で固定し、挟む力と挿入する指先範囲は任意であり幅広いもみ方法が可能である。
【発明を実施するための最良な形態】
【００１０】
【００１１】  以下、図面に基づいて本発明を詳細に説明する。
図１は、本発明具の（ａ）正面図（ｂ）側面図である。
図において、１は本発明の指先もみ具、２は上側レバー部、３は下側レバー部、４は上側くちばし板、５は下側くちばし板で、上側くちばし板４の下面に刺激突起板６を貼り付ける。上側くちばし板４の略中央部を軸として、ネジ９を用いて、刺激突起板６、上側くちばし板４、スペーサ７の順で貫通させた後、上側レバー部２に蝶ナット８を用いて上側くちばし板４及び刺激突起板６が回動できるように固定する。
１２ａは、スプリングａ、１２ｂはスプリングｂで、常にくちばし部を閉じる方向に力が掛かっている。
また、上側レバー部２，下側レバー部３のレバーの握り側には貫通穴を設け、この穴に降伏点を移動する降伏点移動ボルト１０を通し降伏点移動ナット１１で固定する。
【００１２】  図２（ａ）図は、本考案の使用実態例１で上側くちばし板４を前後方向に長手方向に向けた状態で使用する場合で、特に指の先端を挟んでもみほぐす作業である。また（ｂ）図は、別の使用実態例２で、上側くちばし板４を横方向に長手方向に向けた状態で使用する場合で、指の中ほどまでを入れての全体を挟みほぐすことができる実施例である。
この実施例図のように指先の挿入方向は、前若しくは横方向の何れでも良く、好みの任意の位置で、もみ作業が可能である
【００１３】図３（ａ）は、本考案の構成の分解図である。（ｂ）は、刺激突起板６の表側から見た斜視図で相対する突起の間隔を大小中の３段階にして配置した事例である。また凹の相対は指又は爪全体を強力に挟み付ける時に使用する部位である。（ｃ）は、その刺激突起板６を湾曲に成形された上側くちばし板４の内面側に重ねて、支柱ネジ９と支柱ナット８を締め付けることで、刺激突起板６も内面に沿うように湾曲され、それにより表面に設けた円錐状の突起は、中心線に向かって斜めに固定される形態の説明図である。
【図面の簡単な説明】
【００１４】
【図１】本発明の（ａ）正面図、（ｂ）側面図。
【図２】本発明の（ａ）使用実態例１図、（ｂ）使用実態例２図。
【図３】本発明の（ａ）構成分解図、（ｂ）刺激突起板の拡大図、（ｃ）刺激突起板の取り付け説明図。
【符号の説明】
【００１５】  １  指先もみ具
２  上側レバー部
３  下側レバー部
４  上側くちばし板
５  下側くちばし板
６  刺激突起板
７  スペーサ
８  支柱ナット
９  支柱ネジ
１０  降伏点移動ボルト
１１  降伏点移動ナット
１２ａ  １２ｂ  スプリング
１３ａ  １３ｂ  タッピンネジ
【図１】
2007125335.tif 000003
【図２】
2007125335.tif 000004
【図３】
2007125335.tif 000005